(57)【要約】【課題】  補助電源を設けることなく光源のウォームアップを迅速に実行できる画像読取装置、および、それを備えた画像処理装置を提供する。【解決手段】  画像処理装置１００は、画像処理部４８、操作パネル７０、画像形成部２１０、画像読取部１１０、メインＣＰＵ４１を備える。画像読取部１１０は、光源ランプ１ａ、光量センサ３、ドライバ４５、Ａ／Ｄ変換器６３、サブＣＰＵ６１を備える。  サブＣＰＵ６１は、メインＣＰＵ４１からのウォームアップの開始指示に基づいて、光源ランプ１ａに第１電源１０と第２電源それぞれからの合計がｉ２の電流量が供給されるように制御する。所定時間Ｔ１が経過後、サブＣＰＵ６１は、光源ランプ１ａの通電値をｉ１に制御し、第２電源１１からの供給を停止する。【選択図】図２
2010028727.tif 000002
【特許請求の範囲】
【請求項１】
原稿に光を照射する光源を有する画像読取部に電力を供給する第１電源と、装置本体の駆動部品に電力を供給する第２電源と、前記光源への電力供給を制御する制御部とを備え、
前記制御部は、前記光源のウォームアップを行なうときに、前記第１電源からの電力供給に加え、前記第２電源から電力供給するように制御することを特徴とする画像読取装置。
【請求項２】
光源のウォームアップ時に、制御部は、光源の光量安定時の電流より多い電流を供給することを特徴とする請求項１に記載の画像読取装置。
【請求項３】
光源の温度が所定温度に達したとき、制御部は、第２電源からの電力供給を停止させることを特徴とする請求項１または２に記載の画像読取装置。
【請求項４】
制御部は、第２電源からの電力供給を開始してから所定時間経過したとき、第２電源からの電力供給を停止させることを特徴とする請求項３に記載の画像読取装置。
【請求項５】
第２電源と光源とを接続する回路に、前記第２電源から光源に電力が供給されるように前記回路を切り換える切替部が備えられ、
制御部は、ウォームアップを開始するときに、前記第２電源から前記光源へ電力が供給されるようにし、ウォームアップが終了した後に、前記第２電源から前記光源へ電力が供給されないように切り換えることを特徴とする請求項４に記載の画像読取装置。
【請求項６】
切替部は、ＯＮされたときに回路を接続し、ＯＦＦされたときに前記回路を切断するスイッチとされ、
制御部は、ウォームアップを開始するときに前記スイッチをＯＮし、ウォームアップが終了した後に前記スイッチをＯＦＦすることを特徴とする請求項５に記載の画像読取装置。
【請求項７】
制御部は、スイッチをＯＦＦした後に、第２電源から駆動部品に電源を供給するように制御することを特徴とする請求項６に記載の画像読取装置。
【請求項８】
制御部は、原稿の画像の読み取りを開始するときに、ウォームアップを開始することを特徴とする請求項１〜７のいずれかに記載の画像読取装置。
【請求項９】
光源が、ＬＥＤであることを特徴とする請求項１〜８のいずれかに記載の画像読取装置。
【請求項１０】
ＬＥＤは、複数のＬＥＤチップが封入されたパッケージから構成されていることを特徴とする請求項９に記載の画像読取装置。
【請求項１１】
請求項１〜１０のいずれかに記載の画像読取装置を備えたことを特徴とする画像処理装置。
【発明の詳細な説明】
【技術分野】
【０００１】
本発明は、原稿に光を照射する光源のウォームアップを行なう画像読取装置、および、それを備えた画像処理装置に関する。
【背景技術】
【０００２】
画像読取装置は、光源からの光を原稿に照射して、原稿の画像を読み取る。原稿に光を照射する光源は、光源自身の温度が飽和温度に達するまで、光源自体の発熱による温度上昇によって光量が変動する。そのため、光源にあらかじめ電力を供給し、光量が安定するようにウォームアップを行なう必要がある。しかし、１つの電源からの電力の供給では、光量が安定するまでに時間がかかる。
【０００３】
特許文献１では、各機能ブロックそれぞれに電力供給が可能な電源と、前記電力供給を補う補助電源とを備えた電源制御装置が開示される。
【特許文献１】特開２００６−０１８６６６公報
【発明の開示】
【発明が解決しようとする課題】
【０００４】
特許文献１では、電力供給を補う補助電源を別途備え、各機能ブロックに供給する電力の増大に対応している。しかし、装置自体は、補助電源を別途備えためのスペースが必要となる。そのため、装置本体の小型化の弊害となる。
【０００５】
本発明は、上記に鑑み、補助電源を設けることなく光源のウォームアップを迅速に行なうことができる画像読取装置、および、それを備えた画像処理装置の提供を目的とする。
【課題を解決するための手段】
【０００６】
上記目的を達成するために、本発明では、原稿に光を照射する光源を有する画像読取部に電力を供給する第１電源と、装置本体の駆動部品に電力を供給する第２電源と、前記光源への電力供給を制御する制御部とを備え、前記制御部は、前記光源のウォームアップを行なうときに、前記第１電源からの電力供給に加え、前記第２電源から電力供給するように制御することを特徴とする。
【０００７】
第１電源は、利用者が処理の指示を入力する操作部、原稿の画像をデータとして記憶するメモリ、原稿の画像を読み取る画像読取部、これらを制御する制御部といった制御部品に電源を供給する。第２電源は、原稿を搬送する搬送ローラを駆動させる搬送用モータ、光源を走査させる移送用モータといった駆動部品に電源を供給する。
【０００８】
制御部は、利用者からの操作指示や画像読取装置の動作状況等に応じて、第１電源および第２電源からの電源供給を制御する。例えば、制御部は、光源のウォームアップ時に、光源の光量安定時の電流より多い電流を供給するように制御する。具体的には、電源をＯＮしたとき、あるいは、省エネモード等の状態から原稿の画像の読み取りを開始するといった処理を開始するとき、制御部は、第１電源からの電力供給に加え、前記第２電源から電力供給するように制御する。これにより、光源のウォームアップは、従来に比べて迅速に行なうことができる。
【０００９】
制御部は、光源の温度が所定温度、例えば、光量が安定する温度である飽和温度に達したときに、第２電源からの電力供給を停止させる。光源の温度は、温度センサで検知する。他の方法としては、制御部は、第２電源からの電力供給を開始してから所定時間経過したときに第２電源からの電力供給を停止させる。光源は、電力を所定時間供給することで所定温度に達する。したがって、制御部は、第２電源からの電力供給を停止させるタイミングを時間に基づいて行なう。
【００１０】
第２電源と光源とを接続する回路に、前記第２電源から光源に電力が供給されるように前記回路を切り換える切替部が備えられる。制御部は、切替部を制御することで、第２電源からの光源への電源供給を制御する。
【００１１】
具体的には、切替部は、ＯＮされたときに回路を接続し、ＯＦＦされたときに前記回路を切断するスイッチとされる。制御部は、ウォームアップを開始するときに前記スイッチをＯＮする。制御部は、ウォームアップが終了した後に前記スイッチをＯＦＦする。
【００１２】
制御部は、駆動部品への電力供給が不要なタイミングで、光源への電力供給をする。制御部は、スイッチをＯＦＦした後に、第２電源から駆動部品に電源を供給するように制御する。駆動部品は、電源の供給が足りず、動作に不具合が生じることがない。また、駆動部品は、ウォームアップが終了した後に、迅速に駆動することができる。
【００１３】
光源には、複数のＬＥＤチップが封入されたパッケージから構成されているＬＥＤを採用する。ＬＥＤは、安定した光量、長寿命を実現することがでる。そのため、ウォームアップする際の消費電流は少なくすることができる。また、少量の電流で光源の温度を飽和温度にすることができる。
【００１４】
しかし、ＬＥＤは、電源投入時に一番光量があり、ＬＥＤ自身の温度により、時間とともに光量が低下する。そのため、光源にあらかじめ電力を供給して、光量が安定するようにウォームアップを行ない、最大レベルの光量を安定して確保する必要がある。
【００１５】
そこで、制御部は、第１電源からの電力供給に加え、第２電源から電力供給する。これにより、光源の温度を迅速に飽和温度にすることができる。すなわち、ウォームアップの時間を短縮することができる。
【発明の効果】
【００１６】
本発明によると、光源のウォームアップする際、制御部は、光源に対して第１電源からの電力供給に加え、第２電源からも電力供給するように制御する。これにより、光源は、第１電源のみから電力が供給される場合と比べ、早く飽和温度に達する。そのため、ウォームアップの時間を短縮することができる。また、駆動部品への電力供給が不要なタイミングで、第２電源からの電力の供給を行なうので、電力不足による誤動作を防止することができる。
【発明を実施するための最良の形態】
【００１７】
以下、本発明の画像処理装置１００を詳細に説明する。なお、説明の便宜上、画像処理装置１００は、コピーモード、プリンタモード、スキャナモード、ファクシミリモード、および、ファイリングモードを有する複合機である。
【００１８】
画像処理装置１００は、図１および図２に示すように、ＲＯＭ４２、ＲＡＭ４３、画像メモリ４４、画像処理部４８、ＨＤＤ５４、ＮＩＣ（Ｎｅｔｗｏｒｋ  Ｉｎｔｅｒｆａｃｅ  Ｃａｒｄ）５３、操作パネル７０、画像形成部２１０、画像読取部１１０、メインＣＰＵ４１を備える。
【００１９】
画像メモリ４４は、画像処理部４８から出力された画像データを記憶する。画像処理部４８は、操作パネル７０を介して入力された操作指示に基づいて、入力された画像から画像データを形成する。ＨＤＤ５４は、クライアントＰＣから送信された画像データやパスワードを記憶する。
【００２０】
操作パネル７０は、利用者からの操作指示を入力する入力部である。操作パネル７０は、表示部（ＬＣＤ）、キースイッチ部を備える。表示部は、装置の状態や利用可能な記録シートのサイズ、複写倍率等の表示を行なう。
【００２１】
ＮＩＣ５３は、クライアントＰＣ５５と通信回線を介して通信を行なうための通信部である。画像処理装置１００は、ＮＩＣ５３を介してクライアントＰＣ５５から受信した画像データを、画像データのヘッダ情報に含まれる処理条件に基づいて処理を行なう。あるいは、原稿の読み取りで得た画像データをＮＩＣ５３を介してクライアントＰＣ５５に出力する。
【００２２】
画像形成部２１０は、画像データによって示される原稿の画像を記録シートに印刷するものである。画像形成部２１０は、感光体ドラム、帯電装置、レーザスキャンユニット、現像装置、転写装置、クリーニング装置、除電装置、定着装置等を備えている。画像形成部２１０には、主搬送路および反転搬送路が設けられており、給紙部から給紙されて来た記録シートが主搬送路に沿って搬送される。
【００２３】
画像形成部２１０の主搬送路に沿って記録シートが搬送されている途中で、記録シートが感光体ドラムと転写装置との間を通過し、更に、定着装置を通過して、記録シートに対する印刷が行われる。レーザスキャンユニットは、画像データに基づいてレーザ光を変調し、このレーザ光によって静電潜像を感光体ドラムの表面に形成する。現像装置は、トナーを感光体ドラムの表面に供給し、静電潜像を現像し、トナー像を感光体ドラムの表面に形成する。そして、転写装置と感光体ドラムとの間を通過して行く記録シートに感光体ドラム表面のトナー像を転写する。トナー像が転写された記録シートは、定着装置で加熱および加圧して、トナー像を定着させる。
【００２４】
画像読取部１１０は、光源ランプ１ａ、光量センサ３、電流制御部（以下、ドライバという）４５、Ａ／Ｄ変換器６３、これらを制御する制御部であるサブＣＰＵ６１を備える。なお、光源ランプ１ａと光量センサ３とからランプユニット１を構成する。
【００２５】
光量センサ３は、光源ランプ１ａが照射した光の光量を検出し、その結果をＡ／Ｄ変換器６３に出力する。Ａ／Ｄ変換器６３は、光量センサ３から入力された光量データをアナログデータからデジタルデータに変換し、サブＣＰＵ６１に出力する。
【００２６】
ドライバ４５は、サブＣＰＵ６１からの指示に基づいて光源ランプ１ａに供給される電流を制御する。具体的には、ドライバ４５は、可変抵抗素子を備える。ドライバ４５は、サブＣＰＵ６１から入力された光量制御信号に基づいて、可変抵抗素子の抵抗値を変化させる。光源ランプ１ａには、可変抵抗素子の抵抗値に応じて、所望の電流が供給される。なお、ドライバ４５に可変抵抗素子を備えることは一例であって、特に減退されるものではない。例えば、スイッチング素子、トランジスタ、ＩＣといった回路であってもよい。
【００２７】
光源ランプ１ａは、原稿に光を照射する光源である。光源ランプ１ａは、複数のＬＥＤチップＬ１，Ｌ２，Ｌ３，Ｌ４が封入されたパッケージから構成されるＬＥＤである。複数のＬＥＤチップＬ１，Ｌ２，Ｌ３，Ｌ４を備えることで、光源ランプ１ａの光量は増加できる。
【００２８】
光源ランプ１ａは、図３に示すように、透明樹脂等を用いて構成される導光板１ｂの両端に備えられる。光源ランプ１ａから照射される光は、導光板１ｂの端部の透過部１ｃを透過して、正面の反射面１ｄに全反射し、さらに、拡散板１ｅで乱反射して原稿照射領域Ａの全域に均一に照射させる。
【００２９】
サブＣＰＵ６１は、メインＣＰＵ４１からの指示に基づいて、画像読取部１１０を制御する。例えば、操作パネル７０から読み取り処理の開始の入力がされたとき、サブＣＰＵ６１は、ドライバ４５を介して光源ランプ１ａを動作させ、処理を開始する。また、サブＣＰＵ６１は、光量センサ３の結果に基づいて、光源ランプ１ａの明るさを調整する。具体的には、サブＣＰＵ６１は、光量センサ３の結果から光源ランプ１ａの光量を把握し、光源ランプ１ａが一定の明るさとなるように、光量制御信号を調整しながらドライバ４５に出力し、光源ランプ１ａの光量を調整する。
【００３０】
メインＣＰＵ４１は、利用者からの操作指示に基づいて、装置全体を制御する。具体的には、メインＣＰＵ４１は、ＲＯＭ４２に格納されている制御プログラムをＲＡＭ４３に読み出して、制御プログラムを実行する。制御プログラムにしたがって、各部が動作する。画像データの入力があると、メインＣＰＵ４１は、操作パネル７０から入力された操作指示や外部装置から入力された画像データのヘッダ情報に含まれる処理条件に基づいて、プリントモード、コピーモード、スキャナモード、ファクシミリモードのいずれかのモードが実行される。
【００３１】
画像処理装置１００は、制御部品１２に１０Ｖの電力を供給する第１電源１０と、駆動部品１３に２４Ｖの電力を供給する第２電源１１とを備える。第１電源１０および第２電源１１は、操作指示および動作状況に応じたメインＣＰＵ４１からの指示に基づいて、各部品に電力を供給する。
【００３２】
なお、制御部品１２とは、装置を制御する回路部品であって、ＲＯＭ４２、ＲＡＭ４３、画像メモリ４４、画像処理部４８、ＨＤＤ５４、ＮＩＣ５３、操作パネル７０、画像形成部２１０、画像読取部１１０、メインＣＰＵ４１を示す。駆動部品１３とは、部品に動力を加えるものであって、搬送ローラを駆動させるモータや定着装置に備えられたヒータ等を示す。
【００３３】
次に、本発明の特徴である光源ランプ１ａのウォームアップ時の電源の供給制御について説明する。
【００３４】
光源ランプ１ａは、ＬＥＤチップＬ１，Ｌ２，Ｌ３，Ｌ４の温度が所定温度、詳しくは、光量が安定する温度である飽和温度まで達するまで、ＬＥＤチップ自体の発熱によって光量が変動する。そのため、サブＣＰＵ６１には、コピーモードやスキャナモード等の処理を行なう場合、光源ランプ１ａにあらかじめ電力を供給し、ＬＥＤチップＬ１，Ｌ２，Ｌ３，Ｌ４の温度を飽和温度にして光量を安定させるウォームアップ機能を備える。
【００３５】
ここで、飽和温度とは、ＬＥＤチップＬ１，Ｌ２，Ｌ３，Ｌ４を連続点灯させた時、ＬＥＤチップＬ１，Ｌ２，Ｌ３，Ｌ４の発熱量と放熱量とが均衡して、それ以上点灯を継続してもその温度以上上がらない温度である。
【００３６】
ウォームアップ機能は、メインＣＰＵ４１からの指示に基づいて開始する。メインＣＰＵ４１は、操作パネル７０から読み取り開始指示を受けると、サブＣＰＵ６１に対して、ウォームアップを開始するように指示を送信する。サブＣＰＵ６１は、メインＣＰＵ４１から指示を受信すると、光源ランプ１ａに電力を供給するように第１電源１０を制御する。光源ランプ１ａが飽和温度に達し、光量が安定すると、サブＣＰＵ６１は、メインＣＰＵ４１にウォームアップが終了した旨を出力する。そして、メインＣＰＵ４１は、操作指示および動作状況に応じて処理を開始する。
【００３７】
従来、光源ランプ１ａは、図４（ａ）に示すように、第１電源１０からｉ１の電流量が通電されると、通電と同時に光量が最大となるが、光源ランプ１ａの温度が上昇するにつれて、光量が低下し、所定の光量で安定する。しかし、１つの電源では、供給できる電流量に制限があり、光量が安定するまでに時間がかかる。
【００３８】
そこで、本発明では、光源ランプ１ａの光量が安定するまで、第１電源１０からの電力供給に加え、第２電源１１からも電力供給するように制御する。すなわち、サブＣＰＵ６１は、ウォームアップの開始時に、第１電源１０から供給される電流に加え、第２電源１１からも電流を供給するように制御する。これにより、光源ランプ１ａには、ｉ２の大電流が供給される。そのため、光源ランプ１ａのウォームアップの時間が短縮できる。
【００３９】
なお、ｉ１およびｉ２とは、光源ランプ１ａに供給される電流値である。ｉ１は、通常時に光源ランプ１ａに供給される電流値である。ｉ２は、ウォームアップ時に光源ランプ１ａに供給される電流値である。ｉ２は、ｉ１より大きい電流値である。本実施形態では、ｉ２をｉ１の約２倍で記載しているが（図４参照）、特にこの限りではなく、ｉ１より大きい値であれば良い。
【００４０】
第２電源１１から電力を供給するために、図２に示すように、第２電源１１と光源ランプ１ａとを接続する回路には、第２電源１１の出力（＋２４Ｖ）を第１電源１０と同一の出力電圧（＋１０Ｖ）に変換する定電圧レギュレータ１４と、第２電源１１と定電圧レギュレータ１４との間に、ＯＮされたときに第２電源１１と定電圧レギュレータ１４とを接続し、ＯＦＦされたときに第２電源１１と定電圧レギュレータ１４との接続を切断する切替部であるスイッチ１５とが備えられる。
【００４１】
サブＣＰＵ６１は、スイッチ１５のＯＮ／ＯＦＦを制御する。サブＣＰＵ６１は、第２電源１１から光源ランプ１ａに電力の供給をするか否かを制御する。
【００４２】
サブＣＰＵ６１は、ウォームアップ開始からタイマをカウントし、所定時間Ｔ１が経過した後にスイッチ１５をＯＦＦする。ここで、所定時間Ｔ１は、実験データに基づいて設定される。具体的には、光源ランプ１ａに、ｉ１あるいはｉ２の電流量を供給し、光源ランプ１ａのＬＥＤチップＬ１，Ｌ２，Ｌ３，Ｌ４の温度が飽和温度に達するまでにどれだけの時間がかかるかを計測した結果から設定される。
【００４３】
上記構成により、サブＣＰＵ６１は、図４（ｂ）に示すように、メインＣＰＵ４１からウォームアップの指示が入力されると、ウォームアップ機能を開始する。サブＣＰＵ６１は、スイッチ１５をＯＮし、ドライバ４５に光量制御信号を所定時間Ｔ１だけ出力する。ドライバ４５は、入力された光量制御信号に基づいて、光源ランプ１ａにｉ２（ｉ２＞ｉ１）の電流量が流れるように制御する。
【００４４】
所定時間Ｔ１が経過すると、サブＣＰＵ６１は、通常時の光量制御信号をドライバ４５に出力する。ドライバ４５は、入力された光量制御信号に基づいて、光源ランプ１ａにｉ１の電流量が流れるように制御する。サブＣＰＵ６１は、通常時の光量制御信号を出力した後、スイッチ１５をＯＦＦする。そして、サブＣＰＵ６１は、第２電源１１の電力を駆動部品に供給するように制御する。
【００４５】
このように、第１電源１０からの電力の供給に加え、第２電源１１からも電力を供給することで、図４に示すように、光源ランプ１ａが飽和温度に達するまでの時間が、従来の第１電源１０のみからの電力供給した場合に比べて短縮する。また、サブＣＰＵ６１は、駆動部品１３への電力供給が不要なタイミングで、光源ランプ１ａへの電力供給をするので、駆動部品１３への電源の供給が足りず、駆動部品１３の動作に不具合が生じることがない。
【００４６】
次に、ウォームアップの動作を、図５および図６に基づいて説明する。なお、説明の便宜上、省エネモード（画像処理装置１００の消費電力を節約する機能）の状態から原稿の画像の読み取りを開始するときのウォームアップの動作とし、処理はスキャナモードとする。
【００４７】
メインＣＰＵ４１は、利用者から操作指示の入力の有無を確認する（Ｓ１００）。メインＣＰＵ４１は、入力があるまで待機状態となる（Ｓ１００でＮ）。利用者が操作パネル７０からスキャナモードの指示の入力を検知すると（Ｓ１００でＹ）、メインＣＰＵ４１は、サブＣＰＵ６１にウォームアップの指示を出力する。サブＣＰＵ６１は、ウォームアップの指示により、スイッチ１５をＯＮし（Ｓ１１０）、光源ランプ１ａに第１電源１０と第２電源のそれぞれからｉ１およびｉ２−ｉ１の電流量、すなわち、合計ｉ２の電流量を供給させる（Ｓ１２０）。それと同時に、サブＣＰＵ６１は、タイマのカウントを開始する。
【００４８】
サブＣＰＵ６１は、所定時間Ｔ１が経過したか否かを確認する（Ｓ１４０）。サブＣＰＵ６１は、所定時間Ｔ１が経過するまで（Ｓ１４０でＮ）、スイッチ１５をＯＮに維持する。所定時間Ｔ１が経過すると（Ｓ１４０でＹ）、サブＣＰＵ６１は、光源ランプ１ａの電流値をｉ１に制御する（Ｓ１５０）。そして、サブＣＰＵ６１は、スイッチ１５をＯＦＦする（Ｓ１６０）。所定時間Ｔ１が経過しても、光源ランプ１ａの周囲の温度等の環境によって、光源ランプ１ａの温度が一定温度に達していない場合がある。そのため、サブＣＰＵ６１は、スイッチ１５のＯＦＦのタイミングを所定時間Ｔ１よりも遅らせる。これにより、所定時間Ｔ１が経過した時点で、光量センサ３の出力から光量が、まだ安定していないことが検出された時、光源ランプ１ａに、さらに大電流を供給することができる。
【００４９】
ウォームアップの終了後、サブＣＰＵ６１は、光量センサ３から得られる光量情報に基づいて、光源ランプ１ａの光量が所定光量で安定するように、光量制御信号を調整しながら出力する。そして、サブＣＰＵ６１は、メインＣＰＵ４１にウォームアップが終了したことを出力する。サブＣＰＵ６１は、第２電源１１から駆動部品１３に電源の供給を開始するように制御する。そして、サブＣＰＵ６１は、利用者からの操作指示に応じたメインＣＰＵ４１からの指示に基づいて、処理を開始する。
【００５０】
これにより、既設の電源を利用して、光源ランプ１ａに大電流を供給することができ、光源ランプ１ａのウォームアップを迅速に行なうことができる。また、サブＣＰＵ６１は、第２電源１１から駆動部品１３への電力供給が不要なタイミングで、光源ランプ１ａへの電力供給をするため、駆動部品が電源の供給が足りず、動作に不具合が生じることがない。
【００５１】
なお、本発明は、上記実施形態に限定されるものではなく、本発明の範囲内で上記実施形態に多くの修正および変更を加え得ることは勿論である。画像処理装置ではなく、コピー装置、ファクシミリ装置、あるいは、読取装置といった単体の装置であってもよく。さらに、原稿自動搬送機能を有するスキャナであってもよい。また、ウォームアップが必要な、伝熱ヒータに対して行なってもよい。
【００５２】
本実施形態では、省エネモードからの処理開始時におけるウォームアップとしているが、特にこの限りではない。例えば、画像処理装置自体の電源をＯＮした時のウォームアップ、または、ジャム等の装置の不具合処理後のウォームアップといったように、処理を開始する前にウォームアップを行なうタイミングであれば良い。
【００５３】
本実施形態では、サブＣＰＵが電源の供給を制御する制御部としたが、特にこの限りではなく、メインＣＰＵが電源の供給を制御する制御部であっても良い。
【００５４】
本実施形態では、光源ランプの光量が安定しているか否かの判断を、時間によって判断しているが、特にこの限りではない。例えば、図７に示すように、温度センサ３ａを設け、光源ランプ自身の温度から判断しても良い。あるいは、光量センサの検出結果に基づいて判断しても良い。
【図面の簡単な説明】
【００５５】
【図１】本実施形態に係る画像処理装置の全体ブロック図
【図２】第１電源および第２電源と光源ランプとの関係を示すブロック図
【図３】画像読取装置の構造を説明するための断面図
【図４】光源ラップの光量および温度と制御信号との関係を示す図であって、（ａ）は従来の関係を示す図、（ｂ）は本実施形態の関係を示す図
【図５】サブＣＰＵから出力される制御信号のタイムチャートを示す図
【図６】ウォームアップの動作を示すフローチャート
【図７】温度センサを備えた場合の第１電源および第２電源と光源ランプとの関係を示すブロック図
【符号の説明】
【００５６】
１ａ光源ランプ
１ｂ導光板
１ｃ透過部
１ｄ反射面
１ｅ拡散板
３  光量センサ
１０  第１電源
１１  第２電源
１２  制御部品
１３  駆動部品
１４  定電圧レギュレータ
１５  スイッチ
４１  メインＣＰＵ
４２  ＲＯＭ
４３  ＲＡＭ
４４  画像メモリ
４５  電流調整部（ドライバ）
４８  画像処理部
５３  ＮＩＣ
５４  ＨＤＤ
６１  サブＣＰＵ
７０  操作パネル  
１００  画像処理装置
１１０  画像読取部
２１０  画像形成部
Ａ  原稿照射領域
Ｌ１  ＬＥＤチップ
Ｌ２  ＬＥＤチップ
Ｌ３  ＬＥＤチップ
Ｌ４  ＬＥＤチップ
Ｔ１  所定時間
ｉ１  通常時の電流値
ｉ２  ウォームアップ時の電流値
【図１】
2010028727.tif 000003
【図２】
2010028727.tif 000004
【図３】
2010028727.tif 000005
【図４】
2010028727.tif 000006
【図５】
2010028727.tif 000007
【図６】
2010028727.tif 000008
【図７】
2010028727.tif 000009